(57)【要約】【課題】封止部の保護と外観性に優れた金属製真空断熱容器を提供する。【解決手段】金属製の内容器３と金属製の外容器６とをそれぞれ口部７で一体化して二重壁構造としてなるとともに、内容器３と外容器６の間の空隙を、外容器６に設けた排気孔９より排気して、排気孔９をろう材10で封止して真空断熱層８としてなる金属製真空断熱容器において、排気孔９をろう材10で封止した封止部17への保護板19を合成樹脂製熱接着剤20で密着させたことにより、保護板19と断熱容器間に水が浸入せず、金属腐食や、金属腐食による断熱性能の低下を防ぐことができる。【選択図】図１
2011219125.tif 000002
【特許請求の範囲】
【請求項１】
金属製の内容器と金属製の外容器とをそれぞれ口部で一体化して二重壁構造としてなるとともに、前記内容器と前記外容器の間の空隙を、前記内容器あるいは前記外容器に設けた排気孔より排気して、前記排気孔をろう材で封止して真空断熱層としてなる金属製真空断熱容器において、
前記排気孔を前記ろう材で封止した封止部への保護体を合成樹脂製熱接着剤で密着させたことを特徴とする金属製真空断熱容器。
【請求項２】
前記封止部の前記ろう材表面は、前記保護体の接着面と同じ位置、あるいは前記接着面よりも深い位置になることを特徴とする請求項１記載の金属製真空断熱容器。
【請求項３】
前記断熱層に溶接されるゲッターは、前記接着面よりも内側に溶接されることを特徴とする請求項１又は２に記載の金属製真空断熱容器。
【請求項４】
前記保護体は金属製であることを特徴とする請求項１〜３のいずれか１項に記載の金属製真空断熱容器。
【請求項５】
前記保護体は合成樹脂、あるいはゴム、熱可塑性エラストマー製であることを特徴とする請求項１〜３のいずれか１項に記載の金属製真空断熱容器。
【発明の詳細な説明】
【技術分野】
【０００１】
本発明は、金属製マグや魔法瓶などの金属製真空断熱容器に関するものである。
【背景技術】
【０００２】
従来、この種のものは、内容器と外容器とをそれぞれ口部で溶接一体化して二重壁構造とし、内容器と外容器の間の空隙を、排気孔より排気して、排気孔をろう材で封止して真空断熱層としてなる金属製真空断熱容器があり、排気孔をろう材で封止した封止部にカバーシートを貼着したり（例えば、特許文献１）、または保護板を接着剤を用いて貼り付けて、ろう材の保護と、外観性の向上を図っていた。
【先行技術文献】
【特許文献】
【０００３】
【特許文献１】特開２０００−３１６７２９号公報
【発明の開示】
【発明が解決しようとする課題】
【０００４】
しかしながら、従来の金属製真空断熱容器の底部材を覆う底カバーの嵌合や、特許文献１に記載されたカバーシートの貼着では、容器の丸洗いのときに底カバーと外容器の間、あるいはカバーシートと外容器の間に水が浸入し金属腐食のおそれがあることや、腐食が真空断熱層まで達すれば真空破壊による断熱性低下のおそれがあった。また、カバーシートの貼着だけでは落下などによる容器の変形に対しては排気孔の保護の効果は小さかった。
【０００５】
そこで、本願発明は上記した問題点に鑑み、封止部の保護と外観性に優れた金属製真空断熱容器を提供することを目的とする。
【課題を解決するための手段】
【０００６】
請求項１の発明の金属製真空断熱容器では、金属製の内容器と金属製の外容器とをそれぞれ口部で一体化して二重壁構造としてなるとともに、前記内容器と前記外容器の間の空隙を、前記内容器あるいは前記外容器に設けた排気孔より排気して、前記排気孔をろう材で封止して真空断熱層としてなる金属製真空断熱容器において、前記排気孔を前記ろう材で封止した封止部への保護体を合成樹脂製熱接着剤で密着させたことを特徴とする。
【０００７】
請求項２の発明の金属製真空断熱容器では、前記封止部の前記ろう材表面は、前記保護体の接着面と同じ位置、あるいは前記接着面よりも深い位置になることを特徴とする。
【０００８】
請求項３の発明の金属製真空断熱容器では、前記断熱層に溶接されるゲッターは、前記接着面よりも内側に溶接されることを特徴とする。
【０００９】
請求項４の発明の金属製真空断熱容器では、前記保護体は金属製であることを特徴とする。
【００１０】
請求項５の発明の金属製真空断熱容器では、前記保護体は合成樹脂、あるいはゴム、熱可塑性エラストマー製であることを特徴とする。
【発明の効果】
【００１１】
本発明の請求項１記載の発明によれば、保護体と断熱容器間に水が浸入せず、金属腐食や、金属腐食による断熱性能の低下を防ぐことができる。
【００１２】
本発明の請求項２記載の発明によれば、保護体がろう材と接触せず、すなわち保護板が接着面から浮き上がることなく、合成樹脂製熱接着剤を介して密着させることができる。
【００１３】
本発明の請求項３記載の発明によれば、ゲッターの溶接跡が保護体により隠蔽され外観性を向上させることができる。
【００１４】
本発明の請求項４記載の発明によれば、封止部を強固に補強することができ、容器の落下などによる衝撃や変形から保護し、断熱性能の低下を防止することができる。
【００１５】
本発明の請求項５記載の発明によれば、容器の落下などによる衝撃を吸収して封止部を保護し、断熱性能の低下を防止することができる。
【図面の簡単な説明】
【００１６】
【図１】本発明の金属製真空断熱容器の実施例１を示す断面図である。
【図２】同上、容器の底側を上向きとした断面図である。
【図３】同上、外容器を底側から見た斜視図である。
【図４】本発明の金属製真空断熱容器の実施例２を示す断面図である。
【図５】本発明の金属製真空断熱容器の実施例３を示す要部断面図である。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図３は本発明の金属製真空断熱容器の実施例１を示しており、同図において真空構造体としてのマグや魔法瓶などの断熱二重容器は、内筒部１の底に内底板部２を有する内容器３と、外筒部４の底に外底板部５を有する外容器６とを、それぞれの上部開口７を接合したものであり、内容器３と外容器６はそれぞれステンレス鋼、例えば１８−８ステンレス鋼によって形成されている。そして、内容器３と外容器６との間隙は真空断熱空間８が形成されているものであり、これは外筒部４の中央に形成し内外を連通した排気孔９を介して真空断熱空間８の間隙を排気した後、ろう材10によって封止したものである。尚、内容器３の真空断熱空間８側の面又は及び外容器６の真空断熱空間８側の面にはゲッターＧが装着している。
【００１９】
外底板部５に小孔状の排気孔９が形成されており、この排気孔９の周囲は平面を円形として断熱空間８側に凹に形成されている。そして上下に三段状の凹部は、最深部に排気孔９が形成された幅狭凹部である小径の円筒凹部12（以下、小径円筒凹部12と呼称する）と、前記小径円筒凹部12より一段外側に形成され小径円筒凹部12と後述の大径の円筒凹部14との中間の径を有する中径の円筒凹部13（以下、中径円筒凹部13と呼称する）と、この中径円筒凹部13及びと外底板部５の表面との間に形成される幅大凹部である大径の円筒凹部14（以下、大径円筒凹部14）を有する三段状の円筒からなる。
【００２０】
小径円筒凹部12には、小径円筒凹部12の底面15（以下、小径底面部15と呼称する）から側壁16（以下、小径側面16と呼称する）上端付近まで充填されたろう材10によって排気孔９を封止した封止部17が形成されている。前記ろう材10は、金属もしくはガラス製ろう材である。
【００２１】
大径円筒凹部14には、底面視略ドーナツ状の底面18（以下、大径底面18と呼称する）に遊嵌するように円板状に形成された保護板19が変性ポリオフィレン等の合成樹脂製熱接着剤20を介して接着面である大径底面18に接着されている。
【００２２】
前記保護板19は、内容器３と外容器６同様のステンレス鋼、例えば１８−８ステンレス鋼等の金属製であり、保護板19の板厚Ｄは、０．１ｍｍ以上であることが好ましい。
【００２３】
大径円筒凹部14と保護板19間に介在する合成樹脂製熱接着剤20に関しては、合成樹脂製熱接着剤20を介して保護板19と大径底面18が接触する接着面積Ｓ（図中、点描部分）が１５０ｍｍ２以上かつ、もしくは保護板19と大径底面18の接着幅Ｗを２ｍｍ以上とすることが好ましい。
【００２４】
以上の構成の金属製真空断熱容器において、合成樹脂製熱接着剤20は加熱溶融と加圧により、合成樹脂製熱接着剤20が大径底面18と保護板19の隙間を完全に埋めて、保護板19を大径底面18に密着させることができるため、保護板19と断熱容器間に水が浸入せず、金属腐食や、金属腐食による断熱性能の低下がない。
【００２５】
また、図２に示すようにろう材10の下側表面10Ａは、保護板19の接着面である大径底面18よりも金属容器内部、つまり断熱空間８側に向けてより凹ませた深い位置になるので、保護板19とろう材10が接触せず、すなわち盛り上がったろう材10によって保護板19が接着面（大径底面18）から浮き上がることがなく、合成樹脂製熱接着剤20を介して保護板19を大径底面18に密着させることができる。
【００２６】
さらに、ゲッターＧは、保護板19の接着面（大径底面18）よりも内側、つまり接着後の保護板18の外容器６底側からの投影面積Ｐの内側にある中径円筒凹部13の底面21（以下、中径底面21と呼称する）に溶接されているので、ゲッターＧの溶接跡22が保護板19により隠蔽され外観を悪化させることがない。
【００２７】
また、保護板19が金属製であるため、封止部17を強固に補強することができ、容器の落下などによる衝撃や変形から保護し断熱性能の低下を防止することができる。
【００２８】
さらに、保護板19の接着面積Ｓが１５０ｍｍ２以上かつ、もしくは接着幅Ｗが２ｍｍ以上であることにより、十分な接着強度を得ることができる。尚、保護板19の接着面積Ｓが１５０ｍｍ２より小さいと、容器の落下などによる変形に耐えるほどの接着強度がなく、保護板19がはがれて封止部17を保護することができないという問題がある。また、接着幅Ｗが２ｍｍより小さくても同様な問題がある。
【００２９】
また、保護板19の板厚Ｄが０．１ｍｍ以上であることにより、十分な強度を得ることができる。尚、板厚Ｄが０．１ｍｍより小さいと、容器の落下などによる変形に対する補強効果が小さく、変形から封止部17を保護することができないという問題がある。
【００３０】
以上のように本実施例は請求項１に対応しており、金属製の内容器３と金属製の外容器６とをそれぞれ口部７で一体化して二重壁構造としてなるとともに、内容器３と外容器６の間の空隙を、外容器６に設けた排気孔９より排気して、排気孔９をろう材10で封止して真空断熱層８としてなる金属製真空断熱容器において、排気孔９をろう材10で封止した封止部17への保護体である保護板19を合成樹脂製熱接着剤20で密着させたことにより、保護板19と断熱容器間に水が浸入せず、金属腐食や、金属腐食による断熱性能の低下を防ぐことができる。
【００３１】
また、本実施例は請求項２に対応しており、封止部17のろう材10表面である底側表面10Ａは、保護板19の接着面である大径底面18と同じ位置、あるいは大径底面18よりも深い位置（図２参照）になることにより、保護板19がろう材10と接触せず、すなわち保護板19が大径底面18から浮き上がることなく、合成樹脂製熱接着剤20を介して密着させることができる。
【００３２】
さらに、本実施例は請求項３に対応しており、断熱層８に溶接されるゲッターＧは、接着面である大径底面18よりも内側の中径底面21に溶接されることにより、ゲッターＧの溶接跡22が保護板19により隠蔽され外観性を向上させることができる。
【００３３】
また、本実施例は請求項４に対応しており、保護板19は金属製であることにより、封止部17を強固に補強することができ、容器の落下などによる衝撃や変形から保護し、断熱性能の低下を防止することができる。
【００３４】
さらに、本実施例上の効果として、この排気孔９の周囲は平面を円形として断熱空間８側に上下に三段状の凹部12,13,14を形成し、封止部17が形成された小径凹部12と保護板19が接着された大径凹部14との間に中径部13によって形成された空間Ｋを設けたことにより、保護板19とろう材10とが接触せず、すなわち盛り上がったろう材10によって保護板19が接着面（大径底面18）から浮き上がることがなく、合成樹脂製熱接着剤20を介して保護板19を大径底面18に密着させることができる。
【実施例２】
【００３５】
図４は、実施例２を示しており、前記実施例１と同一部分には同一符号を付し、その詳細な説明を省略する。実施例２の断熱容器は、内筒部１を上部開口７に向けて縮径させた細口型の内容器３と、外筒部４を上部開口７に向けて縮径させた細口型の外容器６をそれぞれの上部開口７で接合した細口型の断熱容器である。
【実施例３】
【００３６】
図５は、実施例３を示しており、前記実施例１と同一部分には同一符号を付し、その詳細な説明を省略する。実施例３の断熱容器は、保護板30を合成樹脂、あるいはゴム、熱可塑性エラストマー製とし、外底板部５とほぼ同一面積かそれ以下に形成された円板形状を有し、その中央部分に大径底部18に遊嵌するように形成された凸部31を備え、合成樹脂製熱接着剤20を介して、凸部31と外周30Ａがそれぞれ大径底部18と外底板部５に接着されたものである。
【００３７】
本実施例は請求項５に対応しており、保護板30を合成樹脂、あるいはゴム、熱可塑性エラストマー製とすることにより、容器の落下などによる衝撃を吸収し、封止部17を保護して断熱性能の低下を防止することができる。
【００３８】
本発明は、上記各実施例に限定されるものではなく、本発明の要旨の範囲内で種々の変形実施が可能である。例えば、封止部17の形態については、適宜変更可能であり、排気孔９をステンレス鋼等の金属板で塞いでから、この金属板ごと排気孔９をろう材10によって封止するものとしても良いものとする。また、排気孔９の周囲の形状についても、ろう材10の表面10Ａと保護板19の接着面との間に空間Ｋを形成する構造であれば、外底面５を断熱空間８側に上下に三段状の凹にする形状に限らず、四段以上の複数段の凹とする形状としても構わないものとする。
【産業上の利用可能性】
【００３９】
以上のように本発明に係る金属製真空断熱容器は、各種の用途に適用できる。
【符号の説明】
【００４０】
３  内容器
６  外容器
７  上部開口（口部）
９  排気孔
10  ろう材
17  封止部
18  大径底面（接着面）
19,30  保護板（保護体）
20  合成樹脂製熱接着剤
Ｇ  ゲッター
【図１】
2011219125.tif 000003
【図２】
2011219125.tif 000004
【図３】
2011219125.tif 000005
【図４】
2011219125.tif 000006
【図５】
2011219125.tif 000007